(57)【要約】      （修正有）【課題】自己プライミング式で注意を払って管理する必要がなく、チャンバ内の液高さを確実に維持・制御でき、チューブに空気が入るのを阻止でき、液流を制御できる脈管内セットを提供する。【解決手段】ＩＶセット１０はドリップチャンバ２４と圧力作動式バルブ５０とを備える。ドリップチャンバは作用可能な液高さ３８と流出口３４とを有する。圧力作動式バルブは、ドリップチャンバの流出口に隣接して配置され、封止口、バルブ、および付勢機構５６を有する。封止口と作用可能な液高さは水頭に対応する。付勢機構は、作用可能な液高さの水頭より小さい力でバルブを封止口に付勢して、圧力作動式バルブを介した液体の流れを制御する。【選択図】図１
2006223871.tif 000002
【特許請求の範囲】
【請求項１】
流出口を有するドリップチャンバと、
ドリップチャンバの流出口に隣接して配置された圧力作動式バルブと
を備え、
前記圧力作動式バルブが、
封止口と
バルブと、
封止口とドリップチャンバ内の作用可能な液高さとの間の圧力水頭より小さい力で前記バルブを封止口に対して付勢して、圧力作動式バルブを通過する液体の流れを制御する付勢機構とを備える、脈管内セット。
【請求項２】
ドリップチャンバに接続されたエアベントをさらに備える、請求項１に記載の脈管内セット。
【請求項３】
エアベントはドリップチャンバの側壁に対して作用可能な液高さに近接した位置において取り付けられている、請求項２に記載の脈管内セット。
【請求項４】
付勢機構がばねを備える、請求項１に記載の脈管内セット。
【請求項５】
付勢機構が磁石を備える、請求項１に記載の脈管内セット。
【請求項６】
付勢機構が柔軟アームを備える、請求項１に記載の脈管内セット。
【請求項７】
圧力作動式バルブに接続された、第１端部と第２端部とを有するチューブをさらに備えるとともに、チューブの第１端部をドリップチャンバに近接して配置するためのチューブ取付装置をさらに有する、請求項１に記載の脈管内セット。
【請求項８】
該脈管内セットは、圧力作動式バルブに接続された、第１端部と第２端部とを有するチューブをさらに備えるとともに、チューブの第１端部に取り外し可能に取り付けられたエンドプラグをさらに有し、前記エンドプラグはエアベントを備える、請求項１に記載の脈管内セット。
【請求項９】
流出口を有するドリップチャンバと、
ドリップチャンバの流出口に隣接して配置された圧力作動式バルブと
を備え、
前記圧力作動式バルブが、
封止口と、
封止口を閉鎖するためのバルブと、
封止口とドリップチャンバ内の作用可能な液高さとの間の圧力水頭より小さい力でバルブを封止口方向に付勢して、圧力作動式バルブを通過する液体の流れを制御する手段とを備える、脈管内セット。
【請求項１０】
ドリップチャンバに接続されたエアベントをさらに備える、請求項９に記載の脈管内セット。
【請求項１１】
エアベントがドリップチャンバの側壁の作用可能な液高さに近接した位置に取付けられている、請求項１０に記載の脈管内セット。
【請求項１２】
圧力作動式バルブに接続された、第１端部と第２端部とを有するチューブをさらに備え
るとともに、チューブの第１端部をドリップチャンバに近接して配置するためのチューブ取付装置をさらに有する、請求項９に記載の脈管内セット。
【請求項１３】
該脈管内セットは、圧力作動式バルブに接続された、第１端部と第２端部とを有するチューブをさらに備えるとともに、チューブの第１端部に取り外し可能に取り付けられたエンドプラグをさらに有し、前記エンドプラグはエアベントを備える、請求項９に記載の脈管内セット。
【請求項１４】
アクセス口、流入口を有する上端部、流出口を有する下端部、および上端部と下端部との間に延びる側壁を有し、前記側壁に前記アクセス口が配置されているドリップチャンバと、
当該脈管内セットを液体供給源に接続するための連結器と、
アクセス口を介したドリップチャンバへのアクセスを選択的に制御するためにドリップチャンバに接続されたバルブと、
ドリップチャンバの流出口に接続されたチューブと
を備える脈管内セット。
【請求項１５】
液体の流れを制限しながら空気の通過を可能にするためにドリップチャンバのアクセス口に連結されたフィルターをさらに備える、請求項１４に記載の脈管内セット。
【請求項１６】
アクセス口に接続されたアクセスポートをさらに備える、請求項１４に記載の脈管内セット。
【請求項１７】
前記バルブはアクセスポートを介した流体の流れを制御するために配置されている、請求項１６に記載の脈管内セット。
【請求項１８】
アクセスポートが隔壁を備える、請求項１６に記載の脈管内セット。
【請求項１９】
アクセス口が側壁の作用可能な液高さまたはそれに近接した位置に配置されている、請求項１４に記載の脈管内セット。
【請求項２０】
ドリップチャンバの流出口を通過する液体の流れを制御するために配置された圧力作動式バルブをさらに備える、請求項１４に記載の脈管内セット。
【請求項２１】
前記チューブはドリップチャンバに接続された第１端部と第２端部とを備え、前記チューブの第２端部をドリップチャンバに近接して配置するためのチューブ取付装置をさらに有する、請求項１４に記載の脈管内セット。
【請求項２２】
アクセス口に接続されたマニホールドをさらに備える、請求項１４に記載の脈管内セット。
【請求項２３】
アクセス口、流入口を有する上端部、流出口を有する下端部、および上端部と下端部との間に延びる側壁を備えるドリップチャンバであって、前記側壁にアクセス口が配置されているドリップチャンバと、
当該脈管内セットを液体供給源に接続するための連結器と、
アクセス口を介したドリップチャンバへのアクセスを選択的に制御するための手段であって、ドリップチャンバに接続された制御手段と、
ドリップチャンバの流出口と液体が流れるように連通しているチューブと
を備える脈管内セット。
【請求項２４】
液体の流れを制限しながら空気の通過を可能にするためにドリップチャンバのアクセス口に連結されたフィルターをさらに備える、請求項２３に記載の脈管内セット。
【請求項２５】
ドリップチャンバのアクセス口に接続されたアクセスポートをさらに備える、請求項２３に記載の脈管内セット。
【請求項２６】
アクセスポートが隔壁を備える、請求項２５に記載の脈管内セット。
【請求項２７】
通気口が側壁の作用可能な液高さまたはそれに近接した位置に接続されている、請求項２３に記載の脈管内セット。
【請求項２８】
アクセス口に接続されたマニホールドをさらに備える、請求項２３に記載の脈管内セット。
【発明の詳細な説明】
【技術分野】
【０００１】
本願は、２００５年２月１８日提出の出願番号第６０／６５４，７０５号米国仮出願の利益を主張するものである。
本発明は、一般的には、脈管内（ｉｎｔｒａｖａｓｃｕｌａｒ（ＩＶ））セットと通称されている患者への輸液に用いられるチューブセット、より特定的には、圧力作動式ＩＶセットに関する。本発明のＩＶセットは、本明細書では、患者への、動脈内、静脈内、脈管内、腹腔内、および非脈管内輸液に用いられるＩＶセットを包含する広い範囲に用いられる。当業者がＩＶセットを患者体内の上記に列挙した以外の場所への輸液に用い得ることは勿論である。
【背景技術】
【０００２】
一般にＩＶセットは患者を液体供給源に接続するチューブを備えている。さらに、ＩＶセットは、チューブに接続されたドリップチャンバを備えていることがあり、ドリップチャンバは、看護師、医師、または他の従事者がＩＶセットを通過する液体の流速を測定するのに用いられる。一定時間にわたって各液滴を計数することにより、液体の流速を識別することができる。
【０００３】
ＩＶセットを患者に使用するために準備する場合、チューブのクランプを手動で閉鎖して液体がドリップチャンバからチューブ内に移動するのを阻止する。次いで、ＩＶセットをＩＶバッグまたはボトルなどの液体供給源に取り付け得る。取り付け終えたら、ドリップチャンバを絞ってドリップチャンバから空気を押出してＩＶバッグまたはボトルからの液体と入れ替える。
【０００４】
ドリップチャンバ内の液体の高さがＩＶセットの作動に十分な高さになったら、クランプを手動で開放し、ＩＶセットのチューブに液体を流し、空気と入れ替える。しかし、液体がチューブ内を流れるとき、チューブ内に空気が閉じ込められることが多い。例えば、ＩＶセットのチューブを通過する液体の流れは乱流になることがあり、液体とチューブとの境界層がせん断されると空気を捉えることがある。さらに、液体レベルが低過ぎると、空気が間欠的にドリップチャンバからチューブに吸い込まれるときに気泡はしご（ｂｕｂｂｌｅ  ｌａｄｄｅｒ）が生じ得る。
【０００５】
液体がＩＶセットのチューブ全体にゆきわたったら、ＩＶセットから閉じ込められた空気を除去するのが一般的に適切な実施法である。これは動脈血に接触する場合に非常に重要であるが、静脈側に接触する場合にも重要である。具体的に言えば、脈管内輸液を受けているときに患者の血流に気泡が入ると、気泡は空気塞栓症を惹き起こして、患者に深刻な障害をもたらすことがある。
【０００６】
ＩＶセットから気泡を除去するために、従事者は、チューブを軽くたたいて気泡がチューブから出やすいようにしながら、ＩＶバッグまたはボトルからチューブに液体を流す。気泡をチューブから除去するために液体をＩＶセットから流出させるとき、通常、液体は廃棄箱または他の容器に流される。この手順中、チューブの先端部は、廃棄箱に触れたり、医療者が触ったりして、汚染状態になり得る。
【０００７】
閉じ込められた空気が除去されたら、ＩＶセットは患者に接続する準備が整った状態となる。ＩＶセットを患者に接続するためのこのプロセスは、ＩＶセットの「プライミング」と通称されている。
【０００８】
ＩＶセットをプライミングしてから患者に接続するまでに遅れが生じる場合には、ＩＶセットの先端部に中実なキャップを取り付け、ＩＶセットの先端部を完全に閉鎖して汚染から保護し得る。次いで、患者にＩＶセットを接続する用意ができたらキャップを外し得る。
【０００９】
患者に薬剤を投与する場合、ＩＶセットは、多くの場合、看護師または医師へのアクセスを提供する。現在入手可能なＩＶセットは、一般に、チューブに沿って配置されたＹ型またはＴ型コネクタを備えている。これらのＹ型およびＴ型コネクタは、第２のＩＶセットを積み重ねたり、注射器を介して薬剤を追加したりするのに用い得る。
【００１０】
これらのＹ型およびＴ型コネクタの不都合は、液体がＹ型およびＴ型コネクタに流入する速度を制御できないことである。さらに、Ｙ型またはＴ型コネクタを介して投与される薬剤および液体はＩＶセットのチューブ内を既に流れている液体と完全には混ざり合わないことがあり、これがある種の用途では問題となり得る。
【発明の開示】
【発明が解決しようとする課題】
【００１１】
したがって、自己プライミング式であり、かつ、絶えず注意を払って管理する必要がないＩＶセットが必要である。また、ドリップチャンバ内で作用可能な液高さを確実に維持するために自己レベリング式であるＩＶセットも必要である。さらに、ＩＶバッグまたはボトルが空になったときにチューブに空気が入るのを阻止するＩＶセットも必要である。
【００１２】
また、ＩＶセットのプライミングおよび使用をより良く制御するために、ドリップチャンバ内の液高さをより良く制御するＩＶセットも必要である。また、ドリップチャンバに液体を過充填しないようにする安全装置を備えたＩＶセットも必要である。さらに、重ね積みしたピギーバックＩＶセットまたは注射器からＩＶセットに流入する液体をより良く制御かつ混合し得るＩＶセットも必要である。
【課題を解決するための手段】
【００１３】
本発明は、自己プライミング式かつ自己レベリング式であり得る脈管内輸液用圧力作動式ＩＶセットを提供する。本発明のＩＶセットは、液体供給源に接続するための連結器を備え得る。連結器は、ルアーフィッティング、スパイク、または当業では周知の他の連結器であり得る。ＩＶセット内を流れる液体の流速を測定するために連結器にドリップチャンバを接続し得る。通常、ＩＶセットは、ドリップチャンバが上端部に配置された流入口と下端部に配置された流出口とを有し得るように重力供給する。上端部と下端部との間には側壁が延び得る。
【００１４】
ドリップチャンバの流出口には、ドリップチャンバの流出口からの液体の流れを制御し得る圧力作動式バルブが接続され得る。いくつかの形態では、圧力作動式バルブはドリップチャンバに隣接するか、ドリップチャンバと一体的に形成され得る。圧力作動式バルブは、ドリップチャンバ内の液体が作用可能な液高さに達すると、開放して、液体をドリップチャンバの流出口から流出させるように作動し得る。さらに、圧力作動式バルブは、液高さが作用可能な液高さ未満に低下すると、閉鎖して、ドリップチャンバの流出口からの液体の流出を阻止する。
【００１５】
作用可能な液高さとは、封止口からドリップチャンバ内の高さまでの液体の高さである。作用可能な液高さは、ＩＶセットを患者に接続する用意が整ったときにドリップチャンバに通常入っている液体の高さにほぼ等しいであろう。したがって、作用可能な液高さはドリップチャンバの高さの１／４〜約２／３の範囲であろう。作用可能な液高さはドリップチャンバの約１／３〜約１／２の範囲であることが好ましい。
【００１６】
ＩＶセットのプライミングを行うとき、ドリップチャンバ内の圧力が増大すると、液体は液体供給源からドリップチャンバに流入できなくなり得る。この圧力を解放するために、ドリップチャンバはエアベント（通気構造）を備え得る。エアベントは、ドリップチャンバから空気を排出させながら、液体がベントを通過するのを阻止するように設計され得る。また、エアベントは、空気をドリップチャンバから排出させるのみであり、空気をドリップチャンバに侵入させないようにし得る。さらに、エアベントは、ドリップチャンバの側壁の作用可能な液高さに近接する位置に接続され得る。これは、液体がエアベントに達した時点でそれ以上空気がドリップチャンバから排出されないようにして、ドリップチャンバ内で望ましい液体レベルを維持するのに役立つ。
【００１７】
ＩＶセットの説明に戻ると、本発明のＩＶセットは、圧力作動式バルブに接続し得る第１端部と第２端部とを有するチューブを備え得る。第１端部は、ＩＶセットを患者に接続しやすくするルアーフィッティングなどの連結器を有し得る。
【００１８】
チューブの第１端部の連結器にはエンドプラグが連結され得る。エンドプラグは、空気は排出させるが液体の流出は阻止するように設計されたエアベントを有し得る。エンドプラグは、ＩＶセットの汚染防止に役立つ可能性があり、ＩＶセットを患者に接続するときには取り外して廃棄され得る。
【００１９】
エンドプラグのエアベントは、ＩＶセットから空気が排出される速度を減速させるのに用いられ得る。ＩＶセットからの空気の排出を減速させると、ＩＶセット内を流れる液体も減速する。液体をゆっくり流すことにより、ＩＶセット内に空気を閉じ込める可能性が低くなり、よってＩＶセットから気泡を除去する必要性が低減する。
【００２０】
アクセス口を介してドリップチャンバから液体が流出するのを阻止しながら、空気をドリップチャンバに出し入れするためにフィルターを使用し得る。フィルターを介した流体の流れを制御するためにバルブが配置され得る。フィルターは、ドリップチャンバ内の作用可能な液高さに近接して配置され得る。フィルターは、水をはじき、かつドリップチャンバからの液体の流出を制限するとともにドリップチャンバからの空気の排出を可能にする小さなポアサイズを有するか、または多数の小さい孔を有する疎水性材料から形成されたスクリーンを含み得る。
【００２１】
本発明のＩＶセットは、ＩＶセットの連結器を液体容器に接続し、ドリップチャンバに接続されたバルブを開放してドリップチャンバから空気を排出させ、ドリップチャンバに液体を充填して、プライミングを行い得る。ドリップチャンバに液体を充填する際、ドリップチャンバに流入する液体の流速を変えるようにバルブを調整し得る。ドリップチャンバが作用可能な液高さまで充填されたら、バルブを閉鎖して、アクセス口からの空気の排出を阻止し、ドリップチャンバが作用可能な液高さを超えて充填されるのを阻止し得る。
【００２２】
プライミング時に液体がＩＶセットのチューブ内を流れる速度を遅らせ、かつチューブ内に空気が閉じ込められるのを防ぐために、ＩＶセットはチューブ取付装置を備え得る。ＩＶセットのプライミング時に、チューブ取付装置を用いて、チューブの端部をドリップチャンバに近接して配置し得る。チューブの端部をドリップチャンバに近接配置することにより、液体の静水圧によってチューブ内の液体の流れが減速し、ＩＶセットプライミング時にチューブの端部から液体が不注意に噴出することを防止するのに役立つ。
【００２３】
ＩＶセットがさらにフィルターを有する場合、ＩＶセットプライミング時に、ドリップチャンバからの空気はフィルターを通過し得る。フィルターは、液体の通過を阻止するためにも用いられ得る。したがって、フィルターが作用可能な液高さと同じ高さまたはそれ
に近接した高さに配置されていれば、バルブが不注意に開放されたままになっていても、ドリップチャンバ内の液体はアクセス口を介してドリップチャンバから流出できないであろう。さらに、アクセス口が液体で閉塞されると、空気はドリップチャンバから出られなくなり、それによって、ドリップチャンバ内の液体のレベルはアクセス口の上端部あたりのレベルに維持されるであろう。したがって、フィルターは過剰充填防止装置として機能し得る。
【００２４】
圧力作動式バルブを備えたＩＶセットの構成において、ＩＶセットをプライミングする方法は、ドリップチャンバ内の液体の圧力が圧力作動式バルブの付勢機構の力より大きいときには、圧力作動式バルブを開放してドリップチャンバの流出口から液体を流出させるステップをさらに含み得る。この方法は、ドリップチャンバ内の液体の圧力が圧力作動式バルブの付勢機構の力より低いときには、圧力作動式バルブを閉鎖してドリップチャンバの流出口から液体が流出するのを阻止するステップをさらに含み得る。
【００２５】
アクセス口に接続されたアクセスポートを備えたＩＶセット形態において、アクセスポートは、アクセス口に第２のＩＶセットを接続するのに用いられ得る。アクセスポートは、アクセス口に取り外し可能なフィルターを取り付けるためにも用いられ得る。
【００２６】
本発明の上記および他の特徴は、以下の説明および添付の特許請求の範囲からさらに十分に明らかになるであろうし、もしくは、以下に記載する本発明を実施することによって習得することができる。
【発明を実施するための最良の形態】
【００２７】
本発明の上記および他の特徴や利点を得る方法を容易に理解するためには、添付図面に示す特定の実施形態を参照することにより、上記で簡単に説明した本発明のさらに詳細な説明が与えられるであろう。これらの図面は本発明の典型的な実施形態を示すものにすぎず、したがって、本発明の範囲を制限するものと考えるべきではないという理解の元で、添付図面を用いて、本発明をさらに具体的かつ詳細に描写して説明する。
【００２８】
本発明の好ましい実施形態は、全体を通して同じ部品を同じ番号で示す図面を見ると最も良好に理解できるであろう。本発明の要素は、概説しかつ図面に示すように、多様な異なる形態で配置、設計し得る。したがって、図１〜図１０に示すような本発明のＩＶセットの実施形態に関する以下のより詳細な説明は、特許請求の範囲に記載されている本発明の範囲を限定するものではなく、本発明の好ましい実施形態を代表するに過ぎない。
【００２９】
図１を参照すると、本発明のＩＶセット１０を示す斜視図が示されている。図に示すように、ＩＶセット１０は、この形態ではＩＶバッグ１４である液体供給源１２に接続され得る。これに代わって、液体供給源１２は、ＩＶボトル（図示せず）または当業では周知の他の容器であってもよい。
【００３０】
ＩＶセット１０は、ＩＶセット１０をＩＶバッグ１４に接続するための連結器２０を介してＩＶバッグ１２に接続され得る。図に示すように、連結器２０は、ＩＶバッグ１４を固定するためのスパイク２２およびねじ式連結器（図示せず）の少なくともいずれかであり得る。
【００３１】
ＩＶセット１０は、液体供給源１２からの流速を測定するためのドリップチャンバ２４を備え得る。ドリップチャンバ２４は、上端部２６、下端部２８、および上端部２６と下端部２８との間に延びる側壁３０を有し得る。上端部２６は、ドリップチャンバ２４に流入する液体を液滴にして、液体の流速を測定し易くするような形状および大きさに形成された流入口３２を有し得る。下端部２８もまた、ドリップチャンバ２４から液体を流出さ
せる流出口３４を有し得る。
【００３２】
ドリップチャンバ２４はさらにアクセス口３６を有し得る。アクセス口３６は、上端部２６または側壁３０に配置し得る。いくつかの形態では、アクセス口３６は、ドリップチャンバの作用可能な液高さ３８またはそれに近接して配置され得る。ドリップチャンバ２４の作用可能な液高さ３８は、空気が液面から流出口３４に吸い込まれないように十分深いが、ドリップチャンバ２４に流入する液体の流速を測定するために流入口３２から落下する各液滴を識別し得るのに十分なほど浅い。例えば、作用可能な液高さ３８は、満杯の約１／３〜約２／３の範囲であり得る。しかし、ドリップチャンバ２４の好ましい作用可能な液高さ３８は、満杯の約１／３〜約１／２の範囲であろう。
【００３３】
アクセス口３６にはアクセスポート４０が接続され得る。アクセスポート４０は、アクセス口３６を、種々の装置４２、例えば、キャップ４４、別のＩＶセット、注射器、および当業では周知の他の装置に取り外し可能に接続するのに用いられ得る。図に示すように、アクセスポート４０は、当業では周知のルアーフィッティングであり得る。
【００３４】
また、ドリップチャンバ２４に、アクセス口３６を介したドリップチャンバ２４へのアクセスを選択的に制御するバルブ４６が接続され得る。バルブ４６は、ストップコック、スライドバルブ、バタフライバルブ、または当業では周知の他のタイプのバルブであり得る。バルブ４６を開放して、ドリップチャンバ２４の側壁３０を変形させて減圧を生じることなく、重力によって液体が液体供給源１２からドリップチャンバ２４に引き込まれるようにし得る。バルブ４６は、作用可能な液高さ３８に達するまで開放したままであり得る。バルブ４６を閉鎖すると、流体は流入口３２および流出口３４のみを介して出入りし得る。したがって、バルブ４６と流出口３４とを閉鎖すると、液体が流入口３２からドリップチャンバ２４に入れなくなるまでドリップチャンバ２４内の圧力が上昇し得る。
【００３５】
アクセス口３６にアクセスポート４０およびバルブ４６を接続するＩＶセット１０の形態においては、アクセスポート４０からの流体がアクセス口３６に到達しないようにバルブ４６が配置され得る。例えば、バルブ４６を用いて、アクセスポート４０に接続された別のＩＶセットからドリップチャンバ２４への流れを制御し得る。
【００３６】
さらに、アクセス口３６にフィルター４８を取り付けて、液体の流れを制限しながらフィルター４８を介して空気を通過させ得る。アクセス口３６が作用可能な液高さ３８に配置されている場合、フィルター４８は、ドリップチャンバ２４内の液体の高さがドリップチャンバ２４の作用可能な液高さ３８を超えないようにする、安全装置としてとして用いられ得る。より具体的に言えば、フィルター４８がドリップチャンバ２４内の液体で覆われると、ドリップチャンバ２４内の液体および空気はアクセス口３６から出られなくなる。そのために、ドリップチャンバ２４内の圧力が上昇して、液体が液体供給源１２からドリップチャンバ２４に流入するのを阻止し得る。
【００３７】
本発明のＩＶセット１０は、ドリップチャンバ２４の流出口３４を介した液体の流れを制御するように配置された圧力作動式バルブ５０をさらに備え得る。圧力作動式バルブ５０は、流出口３４から延びる通路５２と、通路５２を閉鎖するためのバルブヘッド５４と、通路５２を閉鎖する方向にバルブヘッド５４を付勢する付勢機構５６とを有し得る。付勢機構５６は、ドリップチャンバ２４をほぼ作用可能な液高さ３８まで充填する液体がバルブヘッド５４に及ぼす圧力にほぼ等しい力をバルブヘッド５４に加える。したがって、圧力作動式バルブ５０は、ドリップチャンバ２４が液体で充填される際、流出口３４からの液体の流出を阻止し、液体の高さが作用可能な液高さ３８にほぼ等しいか、その高さを超えると、流出口３４から液体を流出させる。液体の高さが作用可能な液高さ３８より低くなると、バルブヘッド５４は通路５２２を閉鎖して流出口３４からの液体の流出を阻止
する。
【００３８】
ドリップチャンバ２４内の液体の圧力によって圧力作動式バルブ５０が開放されると、バルブ４６は閉鎖されて、ドリップチャンバに空気が入るのを阻止し、ドリップチャンバ２４に流入する液体の流速をドリップチャンバ２４から流出する液体の流速とほぼ等しくなるようにし得る。
【００３９】
ドリップチャンバ２４の流出口３４に圧力作動式バルブ５０を介してチューブ６０が接続され得る。より具体的に言えば、チューブ６０は、圧力作動式バルブ５０に接続された第１端部６２と、第１端部６２から遠隔に配置され得る第２端部６４とを有し得る。第２端部は、ＩＶセット１０を患者（図示せず）に接続するためのコネクタ６６を有し得る。コネクタ６６は、ルアーフィッティングまたは当業では周知の他のコネクタであり得る。
【００４０】
コネクタ６６にはエンドキャップ６８が連結され得る。エンドキャップ６８は中実であるか、エンドキャップ６８からの液体の流出を阻止しながらエンドキャップ６８から空気を排出させるフィルター７０を有し得る。フィルター７０は、多数の小径孔、メッシュまたはマット繊維から構成され得る。フィルター７０は疎水性材料製であってもよい。
【００４１】
フィルター７０は、ＩＶセット１０のプライミング時にフィルターを通過する空気の流れを制限してドリップチャンバ２４からチューブ６０への液体の流れを減速させるような大きさを有し得る。液体の流れを減速させると、ＩＶセット１０のプライミング時に空気がチューブ６０内に閉じ込められる可能性が低くなる。さらに、ドリップチャンバ２４内の作用可能な液高さ３８の液面から、流出口３４、さらにチューブ６０に空気が引き込まれる可能性が低くなる。
【００４２】
チューブ６０を通過する液体の流れを減速させるために、ＩＶセット１０は、チューブ６０の第２端部６４をドリップチャンバ２４に近接して配置するためのチューブ取付装置７２をさらに備え得る。チューブ取付装置７２は、ドリップチャンバ２４、圧力作動式バルブ５０、チューブ６０の第１端部６２の近く、またはＩＶセット１０の別の部分に取り付けられ得る。チューブ取付装置７２は、ＩＶセット１０の一部と一体に形成されるか、接着剤、溶接、または、機械的緊結具、例えば、フックおよびループからなる面ファスナもしくはクリップなどで接続されてもよい。
【００４３】
図２を参照すると、ドリップチャンバ２４の側壁３０にあるアクセス口３６に接続され得るバルブアセンブリー１００を示す断面図が示されている。バルブアセンブリー１００は、アクセス口３６の周囲において、雄型部分１０２および雌型部分１０４によって側壁３０に対して締着され得る。雄型部分１０２と雌型部分１０４とはネジ止めされて、バルブアセンブリー１００を側壁３０に緊密に接続し得る。さらに、雄型部分１０２および雌型部分１０４は、接着剤１０６によって、互いに対して、および側壁３０に対してシールされ得る。
【００４４】
バルブアセンブリー１００は、アクセス口３６からアクセスポート１００まで延びるダクト１０８と、ダクト１０８、したがってアクセス口３６を通過する流体の流れを制御するバルブ１１２とを備えている。バルブ１１２は、アクセスポート１１０を通過する流体の流れを制御するように配置してもよい。図に示すように、バルブ１１２はバタフライバルブ１１４であり得る。
【００４５】
アクセスポート１１０は、ルアーコネクタまたは当業では周知の他のコネクタであり得る。アクセスポート１１０はベントキャップ１１６に接続され得る。ベントキャップ１１６は、ベントキャップ１１６からの液体の流出を実質的に阻止する一方で、ベントキャッ
プ１１６から空気を排出するフィルター１１８を有し得る。したがって、いくつかの形態では、フィルターを介してベントキャップから少量の液体が流出するかもしれないが、ベントキャップ１１６からの液体の流出はおおむね阻止される。
【００４６】
図３は、アクセス口３６に接続された別のバルブアセンブリー２００の断面図である。図に示すように、バルブアセンブリー２００は、ドリップチャンバ２４と一体に形成され得る。バルブアセンブリー２００は、アクセス口３６から延びて、バルブ２０４とアクセスポート２０６とに分岐する通路２０２を有し得る。したがって、この形態では、バルブ２０４は、アクセスポート２０６を通過する流体の流れを制御するようには配置されていない。
【００４７】
バルブアセンブリー２００は、バルブ２０４からの液体の流出を実質的に阻止するように配置されたフィルター２０８をさらに備え得る。バルブ２０４は、通路２０２から延びるガスオリフィス２１２を覆うように移動し得るスライドバルブ２１０である。
【００４８】
アクセスポート２０６は、隔壁２１６を有する密閉式ルアーアクセスポートであり得る。隔壁２１６は、アクセスポート２０６からの不注意な流体漏出を阻止するのに役立つ。隔壁２１６は、アクセスポート２０６を介して流体が流れ得るように穿孔されていてもよい。図に示すように、アクセスポート２０６は中実エンドキャップ２１８に接続され得る。
【００４９】
図４は、接着剤３０２でドリップチャンバ２４のアクセス口３６に取り付けられた代替バルブアセンブリー３００の断面図である。接着剤３０２は、バルブアセンブリー３００とドリップチャンバ２４との間を封止するのにも役立つ。
【００５０】
バルブアセンブリー３００は、アクセス口３６から延びる通路３０４を有し得る。バルブアセンブリー３００はさらに、通路を通過する空気の流れを制御するように配置されたバルブ３０６と、液体がバルブ３０６に達するのをおおむね阻止するように配置されたフィルター３０８とを有し得る。通路３０４は、アクセス口３６と開口３１０とを連絡している。
【００５１】
図に示すように、バルブ３０６はスライドバルブであり得る。より具体的に言えば、バルブ３０６は、通路３０４内に摺動して通路３０４を閉鎖し、通路３０４から外方に摺動して通路３０４を開放し得る。
【００５２】
図５を参照すると、側面図が、本発明のＩＶセット４００と、ＩＶセット４００の上方に積み重ねられた第２のＩＶセット４０２とを示している。ＩＶセット４００は、ＩＶバッグ４０４に接続され得る。図１のＩＶセット１０と同様に、ＩＶセット４００はドリップチャンバ４０６を備えている。ドリップチャンバ４０６には液体４０８が作用可能な液高さ４１０まで充填され得る。ＩＶセット４００はさらに、ドリップチャンバ４０６に接続された第１端部４１４と、連結器４１８を備えた第２端部４１６とを有するチューブ４１２を備え得る。第２端部４１６は、チューブ取付装置４２０によって作用可能な液高さ４１０に近接して配置されており、チューブ取付装置４２０は、ドリップチャンバ４０６に取り付けられた部分とチューブ４１２に取り付けられた部分とを含むフックおよびループからなる面ファスナ４２２であり得る。
【００５３】
さらに、ＩＶセット４００は、作用可能な液高さ４１０に近接してドリップチャンバ４０６に取り付けられたバルブアセンブリー４３０を含み得る。図に示すように、バルブアセンブリー４３０は、バルブ４３２と、マニホールド４３４と、第１アクセスポート４３６と、第２アクセスポート４３８とを有し得る。もちろん、マニホールド４３４に２つの
アクセスポート４３６，４３８より多くのアクセスポートを設け得ることが当業者には分るであろう。バルブ４３２は、ドリップチャンバ４０６から空気を排出するために用いられ、図示されていないフィルターを有し得る。第１アクセスポート４３６と第２アクセスポート４３８は、ドリップチャンバ４０６へのアクセスを提供するとともに、アクセスポート４３６，４３８からの流体の漏出を阻止する密閉式ルアーフィッティングであり得る。
【００５４】
ＩＶセット４００は、チューブ４１２を開閉するためのローラークランプ４４０を備え得る。ローラークランプ４４０は、チューブ４１２内の液体４０８の流速を制御するのに用いられ得る。
【００５５】
図に示すように、第２のＩＶセット４０２は、ＩＶセット４００の第１アクセスポート４３６に連結され、ＩＶボトル４４２に接続されている。第２のＩＶセット４０２は、液体４４６の流れを制御するためのローラークランプ４４４を備え得る。第２のＩＶセット４０２は、ＩＶセット４００の液体４０８で希釈される薬剤の送出に用いられ得る。
【００５６】
図６を参照すると、連結器５２０によって、液体５１６が入っているＩＶバッグ５１４などの液体供給源５１２に接続されたＩＶセット４１０を示す斜視図が示されている。連結器５２０は、液体５１６にアクセスするためにＩＶバッグ５１４に孔を開けるのに用いられるスパイク５２２であり得る。
【００５７】
ＩＶセット５１０の連結器５２０は、直接ドリップチャンバ５２４に接続され得る。より具体的に言えば、連結器５２０は、ドリップチャンバ５２４の上端部５２６に接続され得る。ドリップチャンバ５２４の上端部５２６は、連結器５２０を介してＩＶバッグ５１４から液体５１６を受容する流入口５２８を有し得る。
【００５８】
ドリップチャンバ５２４は、上端部５２６と流出口５３４を有する下端部５３２との間に延びる側壁５３０を有し得る。側壁５３０は、流出口５３４を介してドリップチャンバ５２４から液体５１６が流出するのを阻止する一方で、ドリップチャンバ５２４からの空気の排出を可能にするエアベント５３６を有し得る。
【００５９】
エアベント５３６は、流出口５３４を通過する液体５１６の流れがブロックされたときにＩＶバッグ５１４から流入する液体５１６の各液滴によってドリップチャンバ５２４内の圧力が増大するのを阻止する。エアベント５３６がない場合、ドリップチャンバ５２４内で圧力が増大し、その結果、液体５１６がもはやドリップチャンバ５２４に入らなくなるまで液体５１６の流れが減速し得る。したがって、液体５１６をドリップチャンバ５２５の所望の高さに充填させるようにエアベント５３６を側壁５３０に配置し得る。具体的に言えば、液体５１６が側壁５３０のエアベント５３６の高さまでドリップチャンバ５２４に入るようにさせる。液体５１６の高さがエアベント５３６に達してエアベント５３６を閉塞すると、液体５１６の流れは減速し、流出口５３４を介した流れが再開されるまでドリップチャンバ５２４への流入が停止し得る。
【００６０】
流出口５３４を介した液体５１６の流れを制御するために、流出口５３４は圧力作動式バルブ５３８に接続され得る。より具体的に言えば、圧力作動式バルブ５３８は、封止口５４０がドリップチャンバ５２４の流出口５３４と液体が流れるように連通するように配置される。流出口５３４を介した液体５１６の流れを阻止するために、付勢機構５４４によりバルブ５４２を封止口５４０方向に移動させ得る。
【００６１】
バルブ５４２は、封止口５４０の鋭利な肩部５４８に当接して係合する丸みを有する係合面５４６を備え得る。係合面５４６は、封止口５４０を密封するように柔軟であり得る
。例えば、バルブ５４２は、封止口５４０の肩部５４８を密閉するように撓むエラストマー材料製であり得る。
【００６２】
圧力作動式バルブ５３８は、それぞれ液体５１６の高さが作用可能な液高さ５５０より高いか、または低いかに応じて開閉する。具体的に言えば、付勢機構５４４は、ドリップチャンバ５２４を垂直に保持したときに、封止口５４０とドリップチャンバ５２４内の作用可能な液高さ５５０との間の水頭にほぼ等しい力でバルブ５４２を封止口５４０方向に付勢する。したがって、ドリップチャンバ５２４内の液体５１６の高さが作用可能な液高さ５５０を超えると、液体５１６の圧力は付勢機構５４４の付勢力を超え、バルブ５４２を封止口５２４から離れた方向に移動させて、ドリップチャンバ５２４の流出口５３４および圧力作動式バルブ５３８を介した液体５１６の流れを可能にする。ドリップチャンバ５２４内の液体５１６の高さが作用可能な液高さ５５０よりも低くなると、液体５１６の圧力は付勢機構５４４の付勢力より小さくなる。その結果、バルブ５４２は封止口５４０を係合して密閉し、ドリップチャンバ５２４の流出口５３４および圧力作動式バルブ５３８を介した液体５１６の流れを阻止する。
【００６３】
本発明のこの形態の付勢機構５４４にはばね５５１を備え得る。圧力作動式バルブ５３８を組み立てるとき、ばね５５１がバルブ５４２に取り付けられ、圧縮されてポテンシャルエネルギーを蓄え、バルブ５４２を封止口５４０方向に付勢し得る。
【００６４】
これに代わって、付勢機構５４４は、浮揚するバルブ５４２部分を有してもよい。加えて、ばね５５１は、バルブ５４２を封止口５４０から引き離し得る。しかしながら、この形態では、付勢機構５４４は、バルブ５４２の浮揚部分の浮力がばね５５１の力より大きいために、バルブ５４２を封止口５４０方向に付勢することができる。
【００６５】
圧力作動式バルブ５３８は、ドリップチャンバ５２４からの液体５１６の流れを運ぶためのチューブ５５２に接続し得る。具体的に言えば、チューブ５５２は、第１端部５５４と、圧力作動式バルブ５３８に接続し得る第２端部５５６とを有し得る。
【００６６】
第１端部５５４は、ＩＶセット５１０を、患者（図示せず）、積み重ねて配置された別のＩＶセット（図示せず）、または当業では周知の別の装置に接続するためのコネクタ５５８を有し得る。例えば、コネクタ５５８は、中実であるか、もしくはエアベント５６２を備えたエンドプラグ５６０に接続され得る。エアベント５６２は、チューブ５５２から空気を退出させるが、チューブ５５２の第１端部５５４からの液体５１６の流出は阻止する。エアベント５６２は、ＩＶセット５１０のプライミング時にＩＶセット５１０内を移動する液体５１６の流れを減速させるためにチューブ５５２の第１端部５５４から排出される空気を制限するように設計されてもよい。コネクタ５５８は、ねじ込み式接続またはプレス嵌めによる接続のためのルアーフィッティングまたは当業では周知の別のコネクタであり得る。
【００６７】
ＩＶセット５１０はまた、ＩＶセット５１０のプライミング時にチューブ５５２の第２端部５５６をドリップチャンバ５２４に近接して配置するためのチューブ取付装置５６４を備え得る。プライミング時にチューブ５５２の第２端部５５６をドリップチャンバ５２４に近接配置すると、液体５１６の静水圧によりＩＶセット５１０を通過する液体５１６の流れが減速する。図に示すように、チューブ取付装置５６４は、圧力作動式バルブ５３８と一体に形成されてもよいし、チューブ５５２をチューブ取付装置５６４に取り外し可能に接続するためのクリップ５６６を備えていてもよい。
【００６８】
図７を見ると、部分破断側面図が、液体６０６が入ったＩＶボトル６０４などの液体供給源６０２に接続し得る別のＩＶセット６００を示している。ＩＶセット６００は、図１
のＩＶセット１０に類似した多くの特徴を有する。簡潔にするために、類似特徴は詳細に説明しないこともある。
【００６９】
図に示すように、圧力作動式バルブ６１０は、ドリップチャンバ６１２内の液体６０６の高さがドリップチャンバ６１２の作用可能な液高さ６１４を超えているために開放している。したがって、液体６０６は、ドリップチャンバ６１２から圧力作動式バルブ６１０を通ってチューブ６１６に流れることができる。
【００７０】
圧力作動式バルブ６１０は、ドリップチャンバ６１２の流出口６２４と液体が流れるように連通する封止口６２２を形成するハウジング６２０を有し得る。封止口６２２は、バルブ６２８と係合して封止口６２２２を閉鎖し得る面取り肩部６２６を有し得る。バルブ６２８は、封止口６２２を係合して閉鎖しやすいように封止口６２２の形状と相補的な形状を有する係合面６３０を有し得る。したがって、係合面６３０は面取されていてもよい。
【００７１】
ハウジング６２０はさらに、封止口６２２から出口６３４まで延びる流れチャンバ６３２を区画形成しており、出口６３４はチューブ６１６に接続され得る。また、ハウジング６２０は、付勢機構６３８を流れチャンバ６３２内に配置するための支持機構６３６を有し得る。具体的に言えば、支持機構６３６は、流れチャンバ６３２内に延びて、付勢機構６３８を封止口６２２に合わせて配置し得る。
【００７２】
付勢機構６３８は、バルブ磁石６４２に反発するベース磁石６４０を有し得る。バルブ磁石６４２はバルブ６２８の一部であり、係合面６３０に取り付けられている。液体６０６の圧力が対向するベース磁石６４０とバルブ磁石６４２との間の磁力を超えると、圧力作動式バルブ６１０が開放し得る。
【００７３】
ＩＶセット６００はさらに、チューブ６１６の第１端部６４８と第２端部６５０とをしっかりつかむための２つのクリップ６４６を有し得るチューブ取付装置６４４を備え得る。チューブ取付装置６４４は、チューブ６１６の第１端部６４８をドリップチャンバ６１２に近接して配置するのに用いられ得る。
【００７４】
図８は、代替ＩＶセット７００を示す部分破断側面図である。ＩＶセット７００は、図１のＩＶセット１０に類似した多くの特徴を有する。簡潔にするために、類似の特徴は詳細に説明しないことがある。
【００７５】
図に示すように、圧力作動式バルブ７０２は、ドリップチャンバ７０６内の液体７０４の高さが作用可能な液高さ７０８を超えているために開放している。圧力作動式バルブ７０２が開放しているので、液体７０４は、ドリップチャンバ７０６から圧力作動式バルブを通ってチューブ７１０に流れ得る。
【００７６】
圧力作動式バルブ７０２は、ドリップチャンバ７０６の流出口７１４と液体連絡する封止口７１２を備えたハウジング７１１を有し得る。封止口７１２は、圧力作動式バルブ７０２のバルブ７２０の湾曲係合面７１８と組み合う湾曲肩部７１６を有し得る。バルブ７２０は、付勢機構７２２によって配置され支持される。
【００７７】
付勢機構７２２は、ハウジング７１１に取り付けられ得るアーム７２４を備える。アーム７２４は、バルブ７２０を封止口７１２方向に付勢するように可撓性を有し得る。可撓性アーム７２４は、封止口７１２とドリップチャンバ７０６内の液体７０４の高さとの間の水頭に対応して撓む場合、ポテンシャルエネルギーを蓄えるばねに似ており、したがって、バルブ７２０は、ドリップチャンバ７０６内の液体７０４の高さが作用可能な液高さ
７２６を超えると、封止口７１２から離れ得る。
【００７８】
ＩＶセット７００はさらにチューブ取付装置７３０を備え得る。チューブ取付装置は、チューブ７１０の第１端部７３４をドリップチャンバ７０６に近接して配置するためのフックおよびループからなる面ファスナ７３２を有し得る。図に示すように、フックの布片７３６をドリップチャンバ７０６に取り付け、ループの布片７３８をチューブ７１０の第１端部７３４に結合して、チューブ７１０の第１端部７３４をドリップチャンバ７０６に近接配置しやすくし得る。
【００７９】
図９は、さらに別のＩＶセット８００を示す部分破断側面図である。ＩＶセット８００は、図１のＩＶセット１０に類似した多くの特徴を有する。簡潔にするために、類似特徴は詳細に説明しないことがある。
【００８０】
図９に示すように、ドリップチャンバ８０４の流出口８０２は圧力作動式バルブ８０６に接続されている。圧力作動式バルブ８０６は、ドリップチャンバ８０４内の液体８０８の高さが作用可能な液高さ８１０と同等またはそれより高くないために閉鎖されている。したがって、液体８０８はドリップチャンバ８０４の流出口８０２を通過することができない。
【００８１】
圧力作動式バルブ８０６は、鋭利な肩部８１６を備える封止口８１４を有するハウジング８１２を備えている。バルブ８２０の係合面８１８は肩部８１６を係合して封止口８１４を閉鎖し得る。
【００８２】
図に示すように、バルブ８２０は付勢機構８２２と一体に形成され得る。バルブ８２０および付勢機構８２２は、ハウジング８１２の封止口８１４と支持構造８２４との間に延びるエラストマー材料製アームであり得る。いくつかの形態において、バルブ８２と付勢機構８２２は、独立気泡型の発泡材料、または固体材料製であり得る。さらに、バルブ８２０と付勢機構８２２は、エラストマーまたは当業では周知の他の材料製であり得る。
【００８３】
ドリップチャンバ８０４内の液体８０８の高さが上昇すると、付勢機構８２２はドリップチャンバ内の液体８０８の圧力の作用によって収縮する。液体８０８が作用可能な液高さ８１０にほぼ等しいか、それより高くなると、係合面８１８が封止口８１４から外れ、液体８０８はドリップチャンバ８０４の流出口８０２および圧力作動式バルブ８０６のハウジング８１２を通って流れることができる。液体８０８の高さが作用可能な液高さ８１０より低くなると、付勢機構８２２は拡張して、係合面８１８を封止口８１４の肩部８１６に押し付けて、圧力作動式バルブ８０６を閉鎖する。
【００８４】
ＩＶセット８００はさらに、チューブ８２８の第１端部８２６をドリップチャンバ８０４に近接して配置するためのチューブ取付装置８２４を備え得る。チューブ８２８の第２端部８３０は圧力作動式バルブ８０６に接続され得る。チューブ取付装置８２４は、ドリップチャンバ８０４に取り付けられた第１磁石８３２と、チューブ８２８の第１端部８２６に取り付けられた第２磁石８３４とを含み得る。したがって、チューブ８２８の第１端部８２６を配置するために、第１磁石８３２が第２磁石８３４近くに移動される。
【００８５】
図１０を見ると、部分破断側面図が本発明の異なるＩＶセット９００を示している。ＩＶセット９００は、図９のＩＶセット８００と多くの点で類似している。したがって、簡潔にするために、異なる点のみを詳細に説明する。図に示すように、ＩＶセット９００は、ＩＶセット９００のドリップチャンバ９０４とチューブ９０６との間に配置された圧力作動式バルブ９０２を備える。具体的に言えば、ドリップチャンバ９０４の流出口９０８は、圧力作動式バルブ９０２のハウジング９１２の封止口９１０に接続されている。圧力
作動式バルブ９０２のハウジング９１２はさらに、チューブ９０６に接続された出口９１０を有する。
【００８６】
ハウジング９１２は、圧力作動式バルブ９０２の付勢機構９１６とバルブ９１８とを有する構造体９１４を収容している。ハウジング９１２は、封止口９１０に対してある角度９２２をなして配置された壁９２０を有する。壁９２０の角度９２２によって、バルブ９１８は、ハウジング９１２内を移動して封止口９１０に嵌り込んで圧力作動式バルブ９０２を閉鎖するように誘導される。
【００８７】
構造体９１４による付勢機構９１６とは、構造体９１４の全容積が水より低い平均密度を有するようにすることである。部分切欠き図に示すように、水より低い平均密度は、構造体９１４内に１個以上の気泡９２４を入れるか、構造体９１４を水より低い密度を有する材料９２６で形成するか、またはこれらの方法を組み合せることによって得られる。バルブ９１８は、封止口９１０に接触して嵌り込んで付勢機構９１６を閉鎖する構造体９１４の外面９２８である。
【００８８】
圧力作動式バルブ９０２は、初めに液体を圧力作動式バルブ９０２に流すことによって作動する。ハウジング９１２が液体で充填されると、構造体９１４は上方に浮揚して封止口９１０に嵌って圧力作動式バルブ９０２を閉鎖する。このようにして、バルブ９１８は付勢機構９１６の浮力により封止口９１０に押し付けられる。
【００８９】
ドリップチャンバ９０４内の液体レベルが作用可能な液高さ９３０に到達すると、バルブ９１８は封止口９１０から引き離されて圧力作動式バルブ９０２を開く。具体的に言えば、封止口９１０と作用可能な液高さ９３０との間の圧力水頭が付勢機構９１６の浮力より大きくなると、圧力作動式バルブ９９０２が開く。
【００９０】
要約すると、本発明のＩＶセットは、作用可能な液高さに達すると開き、ドリップチャンバ内の液体が作用可能な液高さより低くなると閉鎖する圧力作動式バルブを備え得る。作用可能な液高さは、付勢機構がバルブを封止口に押し付ける力にほぼ等しい圧力をバルブに及ぼすドリップチャンバ内の液体の高さである。
【００９１】
液体の流れは、エアフィルターを用い、チューブの第１端部をドリップチャンバに近接して配置することによって減速させ得る。ゆっくり移動する液体はＩＶセット内に空気を閉じ込める可能性が低いであろう。したがって、閉じ込められる空気が少ないと、患者に接続する前にＩＶセットから気泡を除去するのに要する時間が短くなるであろう。
【００９２】
本発明は、本明細書に広義に説明し、以下の特許請求の範囲に記載するようなその構造、方法または他の基本的な特徴を逸脱することなく、他の特定の形態で具体化し得る。記載されている実施形態は、あらゆる点で例示に過ぎず制限するものではないとみなすべきである。したがって、本発明の範囲は上記説明によるよりむしろ添付の特許請求の範囲により示される。特許請求の範囲と均等の意味および範囲内でのすべての変更は特許請求の範囲内に包含されるものとする。
【図面の簡単な説明】
【００９３】
【図１】ＩＶバッグに接続された本発明のＩＶセットの斜視図。
【図２】アクセス口を介したドリップチャンバへのアクセスを選択的に制御するためにＩＶセットのドリップチャンバに接続されたバルブアセンブリーの断面図。
【図３】ＩＶセットのドリップチャンバに接続された別のバルブアセンブリーの断面図。
【図４】本発明のＩＶセットのドリップチャンバに接続された代替バルブアセンブリーの断面図。
【図５】本発明のＩＶセットに重ね積みされたＩＶセットの側面図。
【図６】ＩＶバッグに接続された本発明の別の実施形態によるＩＶセットの斜視図。
【図７】ＩＶボトルに接続された本発明の別のＩＶセットの部分破断側面図。
【図８】本発明の代替ＩＶセットの部分破断側面図。
【図９】本発明のさらに別のＩＶセットの部分破断側面図。
【図１０】本発明のさらに別のＩＶセットの部分破断側面図。
【図１】
2006223871.tif 000003
【図２】
2006223871.tif 000004
【図３】
2006223871.tif 000005
【図４】
2006223871.tif 000006
【図５】
2006223871.tif 000007
【図６】
2006223871.tif 000008
【図７】
2006223871.tif 000009
【図８】
2006223871.tif 000010
【図９】
2006223871.tif 000011
【図１０】
2006223871.tif 000012
【外国語明細書】
2006223871.tif 000013
2006223871.tif 000014
2006223871.tif 000015
2006223871.tif 000016
2006223871.tif 000017
2006223871.tif 000018
2006223871.tif 000019
2006223871.tif 000020
2006223871.tif 000021
2006223871.tif 000022
2006223871.tif 000023
2006223871.tif 000024
2006223871.tif 000025
2006223871.tif 000026
2006223871.tif 000027
2006223871.tif 000028
2006223871.tif 000029
2006223871.tif 000030
2006223871.tif 000031
2006223871.tif 000032
2006223871.tif 000033
2006223871.tif 000034
2006223871.tif 000035
2006223871.tif 000036
2006223871.tif 000037
2006223871.tif 000038
2006223871.tif 000039
2006223871.tif 000040
2006223871.tif 000041
2006223871.tif 000042
2006223871.tif 000043
2006223871.tif 000044